(57)【要約】【課題】歩行訓練を受ける者や老人や身障者が容易に安心して掴まることができる手摺りを提供する。【解決手段】棒状に延びる手摺部と、該手摺部を所定の位置に取り付けるための支持部とから構成される。手摺部は複数本の棒状部材と、棒状部材を相互に離間して配置するための少なくとも２つのスペーサとから構成される。スペーサにより離間される棒状部材相互間の間隔は、少なくとも人の手指が手摺部の上方からその内部に挿入でき、かつ、開いた状態の人の手が手摺部の下方からその内部に挿入できるようにそれぞれ選定される。【選択図】　　図３
2004024399.tif 000002
【特許請求の範囲】
【請求項１】
棒状に延びる手摺部と該手摺部を所定の位置に取り付けるための支持部とから構成され、前記手摺部は複数本の棒状部材と該棒状部材を相互に離間して配置するための少なくとも２つのスペーサとから構成され、前記スペーサにより離間される棒状部材相互間の間隔は少なくとも人の手指を手摺部の上方からその内部に挿入できかつ開いた状態の人の手を手摺部の下方からその内部に挿入できるようにそれぞれ選定される、手摺り。
【請求項２】
前記手摺部はその伸延方向に見たときに同一円上に相互に離間して配置された５本の棒状部材により構成され、前記棒状部材を包絡する線は手摺部を上から手で掴むのに適した寸法を有し、各棒状部材はその外周を手の中に握り締めることができる程度の太さをそれぞれ有し、各棒状部材は前記円の最上方位置を基点として該円を６等分した位置の最下方位置となる位置を除く各位置にそれぞれ配置される、請求項１に記載の手摺り。
【請求項３】
前記支持部は各スペーサから外方へ延びる伸延部に連結されるように形成される、請求項１または２に記載の手摺り。
【発明の詳細な説明】
【０００１】
【発明の属する技術分野】
本発明は、手摺り、特に、限定を意図するものではないが、歩行訓練用の手摺り或いはや老人向け或いはバリアフリーの住宅や設施設等に設置するためのユニバーサルデザインの手摺りに関するものである。
【０００２】
【従来の技術】
この種の手摺りとしては、そのほとんどが直径５０ｍｍ程度の１本の棒状部材を歩行方向に沿って設置されたものであり、利用者はその棒状部材を上から握る形で掴まって使用している。しかしながら、利用者、特に、歩行訓練を受ける者や幼児や老人や身障者にとって、棒状部材が太すぎて握るのが困難であったり、手摺りの高さが高すぎて手摺りを上から握ることができなかったりして使い難いものであった。
【０００３】
【発明が解決しようとする課題】
本発明は、歩行訓練を受ける者や幼児や老人や身障者にとっても容易に安心して掴まることができるユニバーサルデザインの手摺りを提供しようとするものである。
【０００４】
【課題を解決するための手段】
本発明による手摺りは、棒状に延びる手摺部と、該手摺部を所定の位置に取り付けるための支持部とから構成される。手摺部は複数本の棒状部材と、棒状部材を相互に離間して配置するための少なくとも２つのスペーサとから構成される。スペーサにより離間される棒状部材相互間の間隔は、少なくとも人の手指が手摺部の上方からその内部に挿入でき、かつ、開いた状態の人の手が手摺部の下方からその内部に挿入できるようにそれぞれ選定される。
【０００５】
本発明の手摺りの設置場所或いは使用形態についてはなんらの制限はなく、そのため、支持部は設置場所や使用形態に応じて変更される。利用者は、通常、手で手摺部全体を上から掴む形態で利用する。手摺部全体を掴むのが身体的に難しい場合、棒状部材間から手指を挿入して１本の棒状部材を握ることにより手摺りとしての機能を発揮させる。また、手摺部を上から掴むのが難しい場合、手摺部の下方からその内部に手を入れ、外側へ指を出して棒状部材を握ることにより手摺りとしての機能を発揮させる。
【０００６】
また、本発明による手摺りは、手摺部をその伸延方向に見たときに同一円上に相互に離間して配置された５本の棒状部材によって構成してもよい。棒状部材を包絡する線は手摺部を上から手で掴むのに適した寸法を有し、各棒状部材はその外周を手の中に握り締めることができる程度の太さをそれぞれ有し、各棒状部材は前記円の最上方位置を基点として該円を６等分した位置の最下方位置となる位置を除く各位置にそれぞれ配置される。また、支持部を各スペーサから外方へ延びる伸延部に連結されるように形成することもできる。
【０００７】
【発明の実施の形態】
本発明の実施例による手摺りは、図１に示すように、棒状に延びる手摺部１と、手摺部１を所定の位置（図示の場合、床）に取り付けるための支持部２とから構成される。手摺部１は、図２により明確に示すように、複数本の棒状部材１１と、各棒状部材１１を相互に離間して配置するための少なくとも２つのスペーサ１２とから構成される。スペーサ１２により離間される棒状部材１１相互間の間隔は、少なくとも人の手指が手摺部１の上方からその内部に挿入でき、かつ、開いた状態の人の手が手摺部１の下方からその内部に挿入できるようにそれぞれ選定される。
【０００８】
より詳細には、図２に示すように、手摺部１を構成する複数本（図示の場合、５本）の棒状部材１１（１１ａ〜１１ｅ）は、手摺部１の伸延方向に見たとき、同一の円Ｃ上に相互に離間して配置される。ここにおいて、円Ｃは厳密な意味での円、すなわち真円である必要はなく、後により詳細に説明する位置関係を有することができるものであれば、長円や楕円等の適当な形状であってもよい。手摺部１が５本の棒状部材によって構成される場合、各棒状部材１１ａ〜１１ｅは、手摺りを取り付けた位置関係において、円Ｃの最上方位置Ｐ１を基点として円を６等分した位置Ｐ１〜Ｐ６のうちの最下方位置となる位置Ｐ４を除く各位置にそれぞれ配置される。棒状部材１１を包絡する線Ｅは、手摺部１全体を上から手で掴んで使用するに適した寸法を有する。各棒状部材１１の太さＤは、手の中に棒状部材１１を握り締めることができる程度の太さをそれぞれ有する。
【０００９】
各棒状部材１１相互間の間隔Ｓ１〜Ｓ５は各棒状部材１１が設けられる位置に応じて異なっている。最上方位置Ｐ１に位置する棒状部材１１ａとそれに隣接する２つの位置Ｐ２およびＰ６に位置する棒状部材１１ｂおよび１１ｅとの間の間隔Ｓ１およびＳ５（好ましくは、位置Ｐ２およびＰ３に位置する棒状部材１１ｂおよび１１ｃ間の間隔Ｓ２、並びに位置Ｐ５およびＰ６に位置する棒状部材１１ｄおよび１１ｅ間の間隔Ｓ４も同様に）は、少なくとも利用者がその間から手指を挿入できるように選定されており、それにより、利用者は、図３に示すように、棒状部材１１ａのみを手で握り締めることができる。最下方位置Ｐ４に隣接する２つの位置Ｐ３およびＰ５に位置する棒状部材１１ｃおよび１１ｄ間の間隔Ｓ３は、少なくとも利用者がその間から手を挿入できるように選定されており、それにより、利用者（特に幼児）は、図４に示すように、棒状部材１１ａ、１１ｂまたは１１ｅ（前述の好ましい形態では、いずれかの棒状部材）に掴まって（または引っ掛けて）ぶら下がる状態で使用できる。
【００１０】
各スペーサ１２はそれぞれ外方（図示の位置関係では、下方）へ延びる伸延部１２１を有しており、支持部２はスペーサの伸延部１２１に連結されることにより手摺部１を所定の位置に保持している。
【００１１】
【発明の効果】
本発明によれば、通常、利用者は手で手摺部全体を上から掴む形態で利用することができ、手摺部全体を掴むのが身体的に難しいような場合、棒状部材間から手指を挿入して所望の１本の棒状部材を握ることにより手摺りとしての機能を発揮させることができ、また、手摺部を上から掴むのが難しいような場合、手摺部の下方からその内部に手を入れ、外側へ指を出して棒状部材を握ることにより手摺りとしての機能を発揮させることができる。
【図面の簡単な説明】
【図１】本発明の実施例による手摺りを示す立面図である。
【図２】図１に示す手摺りを手摺部の伸延方向へ見たときの部分拡大図である。
【図３】手摺りの使用形態を説明するための図２と同様な図である。
【図４】手摺りの別の使用形態を説明するための図２と同様な図である。
【符号の説明】
１　　　手摺部
２　　支持部
１１、１１ａ〜１１ｅ　　棒状部材
１２　　スペーサ
１２１　　伸延部
Ｃ　　円
Ｄ　　棒状部材の太さ
Ｅ　　棒状部材を包絡する線
Ｐ１〜Ｐ６　　円を６等分した位置
Ｓ１〜Ｓ５　　棒状部材相互間の間隔
【図１】
2004024399.tif 000003
【図２】
2004024399.tif 000004
【図３】
2004024399.tif 000005
【図４】
2004024399.tif 000006